(57)【要約】      （修正有）【課題】通信装置に記憶されているデータに関する不正操作を防止できる通信装置を提供する。【解決手段】基地局を介して他の装置と無線通信を行う通信装置であって、他の装置からダウンロードしたデータを記憶する記憶部と、基地局から出力される電波を受信できるか否かを判定する第１判定部と、第１判定部が電波を受信できないと判定した場合、記憶部に記憶されたデータに関する操作を禁止する第１禁止部と、を備える。【選択図】図６
2014199570.tif 000002
【特許請求の範囲】
【請求項１】
基地局を介して他の装置と無線通信を行う通信装置であって、
他の装置からダウンロードしたデータを記憶する記憶部と、
前記基地局から出力される電波を受信できるか否かを判定する第１判定部と、
前記第１判定部が前記電波を受信できないと判定した場合、前記記憶部に記憶されたデータに関する操作を禁止する第１禁止部と、
を備えたことを特徴とする通信装置。
【請求項２】
前記通信装置は、前記基地局との間で電波を受発信する通信部を備え、
前記第１判定部は、前記通信部による前記基地局からの電波の受信状態に応じて前記判定を行うことを特徴とする請求項１に記載の通信装置。
【請求項３】
前記通信部は、前記基地局から出力される電波に含まれる前記基地局を識別するための識別データを受信し、
前記第１判定部は、前記通信部が受信した前記識別データにより特定の前記基地局の電波の受信を判定することを特徴とする請求項２に記載の通信装置。
【請求項４】
前記識別データと比較対象となる第２の識別データを記憶する第２の記憶部を更に備え、
前記第１判定部は、前記通信部が受信した前記識別データと、前記第２の記憶部に記憶した第２の識別データとを比較し、その比較結果に応じて特定の前記基地局の電波の受信を判定することを特徴とする請求項３に記載の通信装置。
【請求項５】
前記第１禁止部により前記操作が禁止された後、前記第１禁止部による前記操作の禁止を解除するべく前記通信装置に入力される第１コードと、前記第１コードと比較されるべく予め定められている第２コードとが一致しているか否かを判定する第２判定部と、
前記第１コードと前記第２コードとが一致していると前記第２判定部が判定した場合、前記第１禁止部による前記操作の禁止を解除する解除部と、を更に備えることを特徴とする請求項１乃至請求項４に記載の通信装置。
【請求項６】
前記第２判定部は、前記第１コードと前記第２コードとが一致するか否かを、繰返し判定し、
前記第１コードは、前記第２判定部が判定を行う毎に入力されるコードであり、
前記第１コードと前記第２コードとが一致していないと前記第２判定部が所定回数判定した場合、前記データを消去する消去部、を更に備えることを特徴とする請求項５に記載の通信装置。
【請求項７】
基地局と無線通信を行う通信部と、記憶部とを備えたコンピュータに、
前記基地局から出力される電波を受信できるか否かを判定する機能と、
前記電波を受信できないと判定した場合、前記記憶部に記憶されたデータに関する操作を禁止する機能と、を実現させるプログラム。
【発明の詳細な説明】
【技術分野】
【０００１】
本発明は、通信装置、プログラムに関する。
【背景技術】
【０００２】
例えば、データが記憶されており、電波を介して通信する携帯端末装置が知られている（例えば特許文献１）。
【先行技術文献】
【特許文献】
【０００３】
【特許文献１】特開２０１３−４７９４０号公報
【発明の概要】
【発明が解決しようとする課題】
【０００４】
電波を介して通信する携帯端末装置は、特許文献１の携帯端末装置も含め、一般的に、携帯端末装置に記憶されているデータに関する不正操作が、携帯端末装置との間で電波を介して通信する管理サーバによって、防止されている。このため、例えば、携帯端末装置の盗難等により携帯端末装置が電波を受信できない位置に持ち出された場合、管理サーバから携帯端末装置にアクセスできずに、携帯端末装置に記憶されているデータに関する不正操作を防止できなくなる虞がある。
【課題を解決するための手段】
【０００５】
前述した課題を解決する主たる本発明は、基地局を介して他の装置と無線通信を行う通信装置であって、他の装置からダウンロードしたデータを記憶する記憶部と、前記基地局から出力される電波を受信できるか否かを判定する第１判定部と、前記第１判定部が前記電波を受信できないと判定した場合、前記記憶部に記憶されたデータに関する操作を禁止する第１禁止部と、を備えたことを特徴とする通信装置である。
【０００６】
本発明の他の特徴については、添付図面及び本明細書の記載により明らかとなる。
【発明の効果】
【０００７】
本発明によれば、端末装置のセキュリティを向上させることができる。
【図面の簡単な説明】
【０００８】
【図１】本発明の実施形態に係る医療情報システムを示す図である。
【図２】本発明の実施形態に係るロック画面が表示されている状態のタッチパネルを示す図である。
【図３】本発明の実施形態に係る第１パスワード入力画面が表示されている状態のタッチパネルを示す図である。
【図４】本発明の実施形態に係る第２パスワード入力画面が表示されている状態のタッチパネルを示す図である。
【図５】本発明の実施形態に係るロックを行う際の端末装置の動作を示すフローチャートである。
【図６】本発明の実施形態に係るロックを解除する際の端末装置の動作を示すフローチャートである。
【発明を実施するための形態】
【０００９】
本明細書および添付図面の記載により、少なくとも以下の事項が明らかとなる。
【００１０】
＝＝＝医療情報システム＝＝＝
以下、図１を参照して、本実施形態における医療情報システムについて説明する。図１は、本実施形態に係る医療情報システムを示す図である。
【００１１】
医療情報システム１００は、医療情報（電子カルテの情報や、診療報酬に係る情報）の記憶、更新、表示等の各種処理を行うシステムである。医療情報システム１００は、端末装置１０（通信装置）、サーバ２０、クライアント３０、ハブ５１及び無線ルータ５２（基地局）を有する。
【００１２】
サーバ２０、クライアント３０は、相互に通信できるように、ＬＡＮケーブル及びハブ５１を介して相互に接続されているパーソナルコンピュータである。サーバ２０、クライアント３０は夫々、病院１０１内の管理室、診察室に設けられることとしてもよい。尚、サーバ２０、クライアント３０を含むネットワークは、インターネットとは独立して設けられている。
【００１３】
無線ルータ５２は、ルータ及び無線ＬＡＮのアクセスポイントの機能を有する中継局である。無線ルータ５２は、ＬＡＮケーブル及びハブ５１を介してサーバ２０、クライント３０を含むネットワークに接続されている。
【００１４】
無線ルータ５２は、無線ルータ５２を識別するための第１識別データを含む電波を出力する。この電波は、無線ルータ５２を中心に放射される。無線ルータ５２から出力される電波の強度は、病院１０１内において端末装置１０が電波を受信できる程度の強度にされていることとする。例えば、病院１０１の外の病院１０１から離れた位置では、端末装置１０は、無線ルータ５２から出力される電波を受信できなくなる。尚、無線ルータ５２を識別するための第１識別データは、例えば、無線ルータ５２におけるアクセスポイントの識別子としてのＳＳＩＤ（Service Set Identifier）であってもよい。
【００１５】
端末装置１０は、例えばタブレット型の携帯端末装置である。端末装置１０は、キーボードを備えず、その代わりに入力装置が表示画面と一体となったタッチパネルを備えた薄型軽量モデルであり、医療スタッフが病院１０１内で携行して使用するのに好適である。端末装置１０は、無線ルータ５２をアクセスポイントとして、サーバ２０、クライント３０、にアクセスする。つまり、端末装置１０は、サーバ２０、クライアント３０との間においてデータの送受信（通信）が可能となっている。
【００１６】
＝＝＝端末装置＝＝＝
以下、図１を参照して、本実施形態における端末装置について説明する。  
端末装置１０は、通信部１１、入力部１２、記憶部１３、表示部１４、通信検出部１５（第１判定部）、制御部１６（第１禁止部、第２禁止部、解除部、消去部）、判断部１７（第２判定部）、タッチパネル６０（図２）を有する。
【００１７】
通信部１１は、無線ルータ５２の電波を受信し、また、無線ルータ５２にアクセスして、サーバ２０やクライアント３０との通信を行うものである。
【００１８】
記憶部１３は、例えば、第１の領域１３１、第２の領域１３２を有する。  
第１の領域１３１には、例えば、端末装置１０を制御するための各種プログラムが記憶されている。
【００１９】
第２の領域１３２には、例えば、第２識別データが記憶されている。第２識別データは、第１識別データと比較されるデータである。第２識別データは、端末装置１０が通信できるアクセスポイント（無線ルータ５２）を特定の範囲（地域）に限定するために予め登録したデータであり、登録する数は一でも複数でもよい。
【００２０】
第２の領域１３２には、例えば、第１パスワード情報、第２パスワード情報が更に記憶されている。第１パスワード情報は、サーバ２０に登録されているパスワードに対応する第１パスワード（第２コード）を示す情報である。第２パスワード情報は、端末装置１０に（ローカルに）登録されているパスワードに対応する第２パスワード（第２コード）を示す情報である。尚、第１パスワードと第２パスワードは、夫々独立に設定されることとする。  
第２の領域１３２には、更に、例えば、サーバ２０からダウンロードした医療情報等のデータが記憶されている。
【００２１】
入力部１２、表示部１４は夫々、端末装置１０に対して情報を入力する機能、情報を表示する機能を奏する。入力部１２、表示部１４は、端末装置１０のタッチパネル６０によって一体的に実現される。
【００２２】
通信検出部１５は、通信部１１の受信データを監視して、無線ルータ５２から出力される電波を通信部１１が受信しているか否か、及び、受信した電波に含まれる第１識別データと、記憶している第２識別データとを比較して互いに一致するか否かに基づいて、端末装置１０が予め登録したアクセスポイント（無線ルータ５２）と通信できるか検出（判定）する。即ち、サーバ２０及びクライアント３０との間で通信が可能であるか否かを検出（判定）する。
【００２３】
例えば、無線ルータ５２から出力される電波を通信部１１が受信しており、且つ、その受信データに含まれる第１識別データが第２識別データと一致した場合、通信検出部１５は、予め登録した特定のアクセスポイントと通信が可能であることを検出する。また、例えば、無線ルータ５２から出力される電波を通信部１１が受信できない場合、通信検出部１５は、通信が不可能であることを検出する。また、例えば、無線ルータ５２から出力される電波を通信部１１が受信しており、且つ、第１識別データと第２識別データとが一致しない場合、通信検出部１５は、通信が不可能であることを検出する。
【００２４】
尚、この検出処理は、他の通信装置（サーバ２０等）と通信をすることなく、通信検出部１５が通信部１１の状態を読み取るだけで判定できるので、他の装置との通信処理に要する電力消費を抑えることができ、バッテリ駆動が基本の端末装置１０にとって都合がよい。
【００２５】
判断部１７は、第１入力欄６２Ａ（図３）、第２入力欄６３Ａ（図４）に入力される文字列（第１コード）の認証を行う。
【００２６】
制御部１６は、第１の領域１３１に記憶されている各種プログラムを実行することにより、通信検出部１５の検出結果等に基づいて、端末装置１０を統括制御する。
【００２７】
＝＝＝タッチパネル＝＝＝
以下、図２乃至図４を参照して、本実施形態におけるタッチパネルについて説明する。図２は、本実施形態に係るロック画面が表示されている状態のタッチパネルを示す図である。図３は、本実施形態に係る第１パスワード入力画面が表示されている状態のタッチパネルを示す図である。図４は、本実施形態に係る第２パスワード入力画面が表示されている状態のタッチパネルを示す図である。  
タッチパネル６０には、ロック画面（図２）、第１パスワード入力画面（図３）、第２パスワード入力画面（図４）が表示される。
【００２８】
＜ロック画面（図２）＞
ロック画面は、端末装置１０がロックされていることを示す画面である。端末装置１０がロックされているとは、例えば、端末装置１０に記憶されているデータの閲覧、編集、複写、転送等が行えなくなるように、端末装置１０の操作が制限されていることである。つまり、端末装置１０がロックされているとき、端末装置１０に記憶されているデータに関する端末装置１０の操作が禁止されることになる。  
ロック画面には、端末装置１０がロックされていることを示すメッセージ６１が表示される。ロック画面には、更にソフトキー６１Ａが表示される。  
ソフトキー６１Ａは、端末装置１０のロックを解除するためのソフトキーである。ソフトキー６１Ａが表示されている位置を、ソフトキー６１Ａの表示位置とも称する。
【００２９】
＜第１パスワード入力画面（図３）＞
第１パスワード入力画面は、端末装置１０のロックを解除するために、パスワードが入力される画面である。第１パスワード入力画面には、第１パスワードの入力を求めるメッセージ６２と、文字列が入力される第１入力欄６２Ａが表示される。  
第１入力欄６２Ａに入力された文字列は、第１パスワード情報に示されている第１パスワードと比較される。
【００３０】
＜第２パスワード入力画面（図４）＞
第２パスワード入力画面は、端末装置１０のロックを解除するために、パスワードが入力される画面である。第２パスワード入力画面には、第２パスワードの入力を求めるメッセージ６３と、文字列が入力される第２入力欄６３Ａが表示される。  
第２入力欄６３Ａに入力された文字列は、第２パスワード情報に示されている第２パスワードと比較される。  
尚、第２パスワード入力画面と、第１パスワード入力画面は、端末装置１０の操作により切り替え可能とされていることとする。
【００３１】
＝＝＝判断部＝＝＝
以下、図３及び図４を参照して、本実施形態における判断部について説明する。  
判断部１７は、第１入力欄６２Ａに入力された文字列が第１パスワードと一致しているか否かの判断（判定）（「第１の判断」とも称する）を行う。判断部１７は、第１入力欄６２Ａに入力された文字列が第１パスワードと一致していないと判断した回数（「第１の回数」とも称する）を計数する。  
判断部１７は、第２入力欄６３Ａに入力された文字列が第２パスワードと一致しているか否かの判断（判定）（「第２の判断」とも称する）を更に行う。判断部１７は、第２入力欄６３Ａに入力された文字列が第２パスワードと一致していないと判断が行われた回数（「第２の回数」とも称する）を計数する。
【００３２】
＝＝＝制御部＝＝＝
以下、図２乃至図４を参照して、本実施形態における制御部について説明する。  
制御部１６は、通信検出部１５の検出結果に基づいて、端末装置１０をロックしたり、端末装置１０のロックを解除したり、第２の領域１３２に記憶されている医療情報を示す通信を行うためのデータを消去したりする。
【００３３】
＜端末装置１０のロック＞
サーバ２０から送信されるロック命令（禁止命令）を端末装置１０が受信した場合、制御部１６は、端末装置１０をロックする。尚、ロック命令は、端末装置１０を遠隔操作によりロックする命令である。ロック命令は、電波を介して端末装置１０と通信するサーバ２０から送信される命令であることとする。
【００３４】
また、通信が不可能であることを通信検出部１５が検出した場合、制御部１６は、端末装置１０の不正使用の虞があるものとして、端末装置１０をロックする。このとき、制御部１６は、ロック画面（図２）を表示させる。
【００３５】
＜端末装置１０のロックの解除＞
ロック画面において、ソフトキー６１Ａの表示位置に対応する位置に指が接触したとき、即ち、タッチパネル６０上の表示位置をユーザがタッチすると、制御部１６は、第１パスワード入力画面（図３）、又は、第２パスワード入力画面（図４）を表示させる。
【００３６】
例えば、第１入力欄６２Ａに入力された文字列が第１パスワードと一致していると判断部１７が判断した場合、制御部１６は、端末装置１０のロックを解除する。一方、例えば、第１入力欄６２Ａに入力された文字列が第１パスワードと一致していないと判断部１７が判断した場合、制御部１６は、端末装置１０のロックを維持する。
【００３７】
例えば、第２入力欄６３Ａに入力された文字列が第２パスワードと一致していると判断部１７が判断した場合、制御部１６は、端末装置１０のロックを解除する。一方、例えば、第２入力欄６３Ａに入力された文字列が第２パスワードと一致していないと判断部１７が判断した場合、制御部１６は、端末装置１０のロックを維持する。
【００３８】
＜データの消去＞
第１回数が例えば１０回等の所定回数を超えた場合、制御部１６は、端末装置１０の不正使用の虞があるとして、第２の領域１３２に記憶されている医療情報を示す通信を行うためのデータを消去する。  
第２回数が例えば１０回等の所定回数を超えた場合も、制御部１６は、端末装置１０の不正使用の虞があるとして、第２の領域１３２に記憶されている医療情報を示す通信を行うためのデータを消去する。
【００３９】
＝＝＝端末装置の動作＝＝＝
以下、図５及び図６を参照して、本実施形態における端末装置の動作について説明する。図５は、本実施形態に係るロックを行う際の端末装置の動作を示すフローチャートである。図６は、本実施形態に係るロックを解除する際の端末装置の動作を示すフローチャートである。  
例えば、ロックを行う際の端末装置１０の動作と、ロックを解除する際の端末装置１０の動作と、について説明する。  
第１の領域１３１に記憶されているプログラムが実行されて、制御部１６による端末装置１０の統括制御が開始されたところから説明する。
【００４０】
＜端末装置１０のロック＞
端末装置１０は、通信が可能であるか否かを判断する（ステップＳ１１）。例えば、通信が可能であることを通信検出部１５が検出した場合（ステップＳ１１のＹＥＳ）、端末装置１０は、サーバ２０からのロック命令を確認する（ステップＳ１２）。端末装置１０は、サーバ２０からのロック命令を受信したか否かを判断する（ステップＳ１３）。例えば、サーバ２０からのロック命令を受信していない場合（ステップＳ１３のＮＯ）、端末装置１０は、ステップＳ１１の判断を再度行う。
【００４１】
一方、例えば、サーバ２０からのロック命令を受信している場合（ステップＳ１３のＹＥＳ）、端末装置１０は、端末装置１０をロックする（ステップＳ１４）。このとき、端末装置１０は、タッチパネル６０に、ロック画面を表示する。
【００４２】
ステップＳ１１において、例えば、端末装置１０が病院１０１の外に持ち出されて、通信が不可能であることを通信検出部１５が検出した場合（ステップＳ１１のＮＯ）、端末装置１０は、端末装置１０の不正使用の虞があるとして、端末装置１０をロックする（ステップＳ１４）。そして、この場合も、図２に示すロック画面を表示する。
【００４３】
＜端末装置１０のロックの解除（図６）＞
端末装置１０は、ロック画面において、ソフトキー６１Ａの表示位置に対応する位置に指が接触したことを確認する（ステップＳ２１）。端末装置１０は、通信が可能であるか否かを判断する（ステップＳ２２）。例えば、通信が可能であることを通信検出部１５が検出した場合（ステップＳ２２のＹＥＳ）、端末装置１０は、第１パスワード入力画面を表示する（ステップＳ２３）。端末装置１０は、第１入力欄６２Ａに文字列が入力されたことを確認する（ステップＳ２４）。端末装置１０は、第１入力欄６２Ａに入力された文字列が第１パスワードと一致しているか否かの判断を行う（ステップＳ２５）。例えば、第１入力欄６２Ａに入力された文字列が第１パスワードと一致していると判断部１７が判断した場合（ステップＳ２５のＹＥＳ）、端末装置１０は、端末装置１０のロックを解除する（ステップＳ２６）。
【００４４】
一方、例えば、第１入力欄６２Ａに入力された文字列が第１パスワードと一致していないと判断部１７が判断した場合（ステップＳ２５のＮＯ）、端末装置１０は、第１回数が所定回数を超えたか否かを判断する（ステップＳ２７）。第１回数が所定回数を超えたと判断された場合（ステップＳ２７のＹＥＳ）、端末装置１０は、端末装置１０の不正使用の虞があるとして、第２の領域１３２に記憶されている医療情報を示す通信を行うためのデータを消去する（ステップＳ２８）。
【００４５】
一方、例えば、第１回数が所定回数を超えていないと判断された場合（ステップＳ２７のＮＯ）、端末装置１０は、ステップＳ２３、Ｓ２４の制御を行った後、再び、ステップＳ２５の判断を行う。
【００４６】
ステップＳ２２において、例えば、通信が不可能であることを通信検出部１５が検出した場合（ステップＳ２２のＮＯ）、端末装置１０は、第２パスワード入力画面を表示する（ステップＳ２９）。端末装置１０は、第２入力欄６３Ａに文字列が入力されたことを確認する（ステップＳ３０）。端末装置１０は、第２入力欄６３Ａに入力された文字列が第２パスワードと一致しているか否かの判断を行う（ステップＳ３１）。例えば、第２入力欄６３Ａに入力された文字列が第２パスワードと一致していると判断部１７が判断した場合（ステップＳ３１のＹＥＳ）、端末装置１０は、端末装置１０のロックを解除する（ステップＳ３２）。
【００４７】
一方、例えば、第２入力欄６３Ａに入力された文字列が第２パスワードと一致していないと判断部１７が判断した場合（ステップＳ３１のＮＯ）、端末装置１０は、第２回数が所定回数を超えたか否かを判断する（ステップＳ３３）。第２回数が所定回数を超えたと判断された場合（ステップＳ３３のＹＥＳ）、端末装置１０は、端末装置１０の不正使用の虞があるとして、第２の領域１３２に記憶されている医療情報を示す通信を行うためのデータを消去する（ステップＳ３４）。
【００４８】
一方、例えば、第２回数が所定回数を超えていないと判断された場合（ステップＳ３３のＮＯ）、端末装置１０は、ステップＳ２９、Ｓ３０の制御を行った後、再び、ステップＳ３１の判断を行う。
【００４９】
尚、上述のステップＳ２３、Ｓ２９においては、第１パスワード入力画面、第２パスワード入力画面を相互に切り替えることができることになっている。
【００５０】
前述したように、端末装置１０は、無線ルータ５２から出力される電波を介して通信する装置である。端末装置１０の第２の領域１３２には、通信を行うためのデータが記憶されている。端末装置１０は、通信検出部１５、制御部１６を有する。通信検出部１５は、通信が可能であるか否かを判断する。通信が不可能であることを通信検出部１５が検出した場合、制御部１６は、端末装置１０の不正使用の虞があるとして、端末装置１０をロックする。このとき、端末装置１０に記憶されているデータに関する端末装置１０の操作が禁止されることになる。よって、通信を行うことができない場合、端末装置１０をロックして、端末装置１０のセキュリティを向上させることができる。
【００５１】
又、端末装置１０は、判断部１７を更に有する。判断部１７は、端末装置１０がロックされた後、ロックを解除するべく第１入力欄６２Ａに入力された文字列が第１パスワードと一致しているか否かを判定する。尚、第１パスワードは、第１入力欄６２Ａに入力される文字列と比較されるべく、予め設定されている。第１入力欄６２Ａに入力された文字列が第１パスワードと一致していると判断部１７が判定した場合、制御部１６は、ロックを解除する。又、判断部１７は、端末装置１０がロックされた後、ロックを解除するべく第２入力欄６３Ａに入力された文字列が第２パスワードと一致しているか否かを判定する。尚、第２パスワードは、第２入力欄６３Ａに入力される文字列と比較されるべく、予め設定されている。第２入力欄６３Ａに入力された文字列が第２パスワードと一致していると判断部１７が判定した場合、制御部１６は、ロックを解除する。よって、端末装置１０がロックされた後、端末装置１０の認証がとれた際に、端末装置１０のロックを解除することができる。従って、端末装置１０のセキュリティを向上させるとともに、端末装置１０の使い勝手も向上させることができる。
【００５２】
又、判断部１７は、第１入力欄６２Ａに入力された文字列が第１パスワードと一致するか否かを、繰り返し判定する。第１入力欄６２Ａに入力された文字列は、判断部１７が判定を行う毎に入力される。第１入力欄６２Ａに入力された文字列が第１パスワードと一致していないと、判断部１７が所定回数に応じた回数判定した場合、制御部１６は、第２の領域１３２に記憶されている医療情報を示す通信を行うためのデータを消去する。判断部１７は、第２入力欄６３Ａに入力された文字列が第２パスワードと一致するか否かを、繰り返し判定する。第２入力欄６３Ａに入力された文字列は、判断部１７が判定を行う毎に入力される。第２入力欄６３Ａに入力された文字列が第２パスワードと一致していないと、判断部１７が所定回数に応じた回数判定した場合、制御部１６は、第２の領域１３２に記憶されている医療情報を示す通信を行うためのデータを消去する。よって、端末装置１０に記憶されているデータへの不正なアクセスを確実に防止することができる。従って、端末装置１０のセキュリティを更に向上させることができる。
【００５３】
又、通信が可能であることを通信検出部１５が検出している状態で、電波を介して端末装置１０と通信するサーバ２０から送信されるロック命令に応じて、制御部１６は、端末装置１０をロックする。よって、端末装置１０を遠隔操作により所定のタイミングでロックすることができる。従って、端末装置１０のセキュリティを更に向上させることができる。
【００５４】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５５】
上記実施形態においては、判断部１７による比較対象は文字列であることについて説明したが、これに限定されるものではない。例えば、判断部１７による比較対象を１文字であることとしてもよく、数字であることとしてもよい。
【符号の説明】
【００５６】
１０              端末装置
１３              記憶部
１５              通信検出部
１６              制御部
２０              サーバ
５２              無線ルータ
６０              タッチパネル
【図１】
2014199570.tif 000003
【図２】
2014199570.tif 000004
【図３】
2014199570.tif 000005
【図４】
2014199570.tif 000006
【図５】
2014199570.tif 000007
【図６】
2014199570.tif 000008